(57)【要約】【課題】伝達子の型状を様々に加工する事により、首後部に単なる押圧や振動ではなく、旋回力を与え揉みほぐし、マッサージ効果を飛躍的に高めた、革新的構造と効果をもたらす首後部マッサージ器を提供する。【解決手段】伝達子１が、それ自体の回転を伴わない旋回を行うよう構成されている。一方を固定し、伝達子１を首後部の施療する部位に押圧して使用する。伝達子１は、携帯電話１８に取り付けられていてもよい。また、伝達子１を複数配置し、使用する部位に合うよう各伝達子１の形状を調整して成っていてもよい。【選択図】図１
2007244911.tif 000002
【特許請求の範囲】
【請求項１】
一方を固定し、伝達子を首後部の施療する部位に押圧して使用する首後部マッサージ器であって、
前記伝達子を複数配置し、使用する部位に合うよう各伝達子の形状を調整して成り、
前記伝達子はそれ自体の回転を伴わない旋回を行うよう構成されていることを、
特徴とする首後部マッサージ器。
【請求項２】
前記伝達子をこめかみ周辺に押圧して使用可能であることを、特徴とする請求項１記載の首後部マッサージ器。
【請求項３】
前記伝達子を上歯と下歯のかみ合わせ筋肉に押圧して使用可能であることを、特徴とする請求項１記載の首後部マッサージ器。
【請求項４】
前記伝達子を頭皮に押圧して使用可能であることを、特徴とする請求項１記載の首後部マッサージ器。
【請求項５】
前記伝達子を眼球周囲に押圧して使用可能であることを、特徴とする請求項１記載の首後部マッサージ器。
【発明の詳細な説明】
【技術分野】
【０００１】
本発明は旋回又は搖動又は振動等で駆動する伝達子を首後部の施療する部位に押し当てて、マッサージ効果による身体の働きを活性円滑化する首後部マッサージ器に関する。
【背景技術】
【０００２】
従来は星を眺めたり、指で眼球の回りを押したり、超音波を眼球の回りに当てたり（例えば、特許文献１参照）、振動するイボイボ（突起）を眼鏡に付属したりしていた。
しかしいずれも、眼球の回りの筋肉のコリや、コリによる視神経の伝導障害を効果的に除去するに至っていない。
施療も、皮膚の上から、振動を与えるのが主体となっている。
【特許文献１】特開平１１−２０６８３６号公報
【発明の開示】
【発明が解決しようとする課題】
【０００３】
伝達子１の型状を様々に加工する事により、首後部に単なる押圧や振動ではなく、旋回力を与え揉みほぐし、マッサージ効果を飛躍的に高めた、革新的構造と効果をもたらす技術である。また、眼球周囲の筋肉の奥深い部分と、骨１、２の裏側、眼球周囲の骨の凹凸部分に付随する筋肉部分、こめかみ部分、上下歯のかみ合わせ筋肉、頭皮その他にも、単なる押圧や振動ではなく、旋回力を与え揉みほぐし、マッサージ効果を飛躍的に高めた、革新的構造と効果をもたらす。
【課題を解決するための手段】
【０００４】
本発明に係る首後部マッサージ器は、一方を固定し、伝達子を首後部の施療する部位に押圧して使用する首後部マッサージ器であって、前記伝達子はそれ自体の回転を伴わない旋回を行うよう構成されていることを、特徴とする。
【０００５】
本発明に係る首後部マッサージ器で、前記伝達子は携帯電話に取り付けられていてもよい。本発明に係る首後部マッサージ器は、前記伝達子を複数配置し、使用する部位に合うよう各伝達子の形状を調整して成っていてもよい。
【０００６】
本発明に係る首後部マッサージ器は、首後部に使用すると、視力向上の支援効果を得る事が可能である。旋回の半径は０．１ｍｍ〜３ｍｍ程度、旋回数は毎分５０〜３８００回程度が大きな効果を得る事が可能である。
一方回転体の反動力で駆動する伝達子で同様の効果を得ようとすると、把握する手や、固定すべき部分に振動が伝わり、騒音が大きめ、となり、使用上、振動力が損失となり逃げている事となり、効果が減少する。
旋回する伝達子１は、一方を完全に固定して使用すると、伝達子１は、強い旋回伝達効果を患部に与える事が可能である。
「一方を固定し」との意味は手で持つ、床その他の造営材に固定する事、構造物全般に取付し、固定する事を云う。
本発明に関し、旋回力を与えて揉みほぐすと、眼球周囲の深い部分の固化した筋肉や固化による視神経の伝達障害や分泌液の拘束等その他の障害が除去されて、その波及効果を著しく高める事が可能である。
又こめかみと上下歯を動かす筋肉に押圧して旋回力を与えて固化した筋肉を揉みほぐすと、夫々前者は眼球の動きを円滑にし視野を広げる事が可能、後者はかみ合わせ力を強化する事ができる。
同様に頭皮にも血流効果を促進し、頭髪の黒化、回復に効果がある。
【発明の効果】
【０００７】
本発明の効果をまとめて、記載すると、実に多大である事がわかる。
（１）目に関する効果
近視、斜視、弱視、白内障、視野の狭小、視覚の追従不良、まぶたのゴロゴロ感やしぶい感、等に、効き目あり、まぶたの不快感
（２）頭髪に関する効果 頭髪の黒化
（３）生活面での効果
長時間のドライブで眠くならない。目覚し効果がある。仕事の能率が上る文字が上手に書ける。交通の信号や文字が早期に読みとれる等の為車の運転に安心感が出てくる。パソコン操作が気楽になる。パイロットの眠気覚しに人の細かい表情を見えて会話ができ楽しくなった。頭が良くなった。
等実に広範な効果がある。
【発明を実施するための最良の形態】
【０００８】
本発明の実施の形態のマッサージ器は、図１の例で説明すると一方が固定されている大地、床、壁、その他であり、静止している。又手で持って固定する事もある。伝達子１はハンドルツマミ２で回転を止め、図３の如く旋回している。旋回する伝達子１を首後部の固化した筋肉１２に押圧し、揉みほぐす事により、この部分の筋肉が正常に作用する事による視力の向上を支援する。
【０００９】
一方を固定するの意味は、例えば、図１１において、携帯電話又は同様のものを手で持って固定する事を含む。又、別に、例えば床、壁、マット等の上に置く事を含む。
伝達子１を旋回すると固化した筋肉に伝達子１が有効に働き、極めて短時間に揉みほぐす事が可能である。
【００１０】
旋回する伝達子１又は回転体の反動力で駆動する伝達子１を、携帯電話と一体化する事により携帯の利便性を高めることができる。回転体の反動力で駆動する伝達子１を有する器具の駆動原理は図１０の通りであり、回転体１６はモーター１７等により回転すると偏心錘１５の遠心力により平衡を失い、振動を開始し、伝達子１が振動する。
【００１１】
図１０に示すように、モーター１７で回転する回転体１６の中央を外して偏心錘１５を取り付けると、遠心力が働き、平衡を失い、振動を開始する。伝達子１は、モーター１７と一体に構成されているので連動して振動する。
一方を固定し、としているのは手で持つなど、何らかの方法で、所持する方法全般を含んでいる。例えば、ケース９を手で持つと旋回する伝達子１を患部にあてた場合、振動が手に伝わり、充分な施療を行いにくい。この為、安定錘８を取り付けると手ぶれが止みほぼ完全に振動を抑える事ができる。これは特に、上下歯を動かす筋肉やこめかみ等の固い筋肉をマッサージする場合、大なる効果を得る事ができる。又頭皮マッサージにも効果が大きく眼部では不可欠なものである。手ぶれがしなくなる分、患部に対し効果を及ぼす事が可能である。携帯に利便性がある。
【００１２】
図４に示すように、マッサージ器を首後部マッサージに使う場合、伝達子１を復数の本数を配置し、その伝達子１の両側を高く、中央付近を低くして、首の形に合わせ押圧して、伝達子１を旋回し、首後部をマッサージする。短時間で効率良くマッサージできる。首の他に脚、腕、腰に合う様伝達子１の形状を調整すればこれらの部位の施療に使う事が可能となる。
【００１３】
また、首後部に合う様、伝達子１の高さを変えて、この伝達子１を旋回する事により、首後部をマッサージする。姿勢を横にすると、首の周辺全体をマッサージできる。横たわって使用する。ただし握り部１０で持ち上げて支持する使い方もある。本発明に関し、図４、５、６、７に、その他こめかみ周辺、上下歯を動かす筋肉、頭皮、眼部も施療出来る多用途のマッサージ器を示している。旋回力発生部分を共有し、施療する部位に応じた伝達子１を装着可能としている事を特徴としている。
【００１４】
伝達子１は、回転を伴わない旋回を行うのが使い心地が良い。重ねて表現すると、伝達子１は回転せず、円の軌跡を描いて旋回している。伝達子１の材質、形状等は施療する部位に合わせて選べば良く無限にある為、具体的な図面等は省く。
【００１５】
図６において伝達子１は旋回して使用するが、この場合安全ガードをマッサージ器に固定し、ガードの丸穴を通してこの丸穴内で旋回する構造とする事もある。この安全ガードは旋回半径が過大となるのを防止する。安全ガード１１は脱着可能としている。
【００１６】
本発明に関し、図１では、旋回する伝達子１を、眼部周辺に押圧しているが、この場合マブタ表面に押圧すると疲れがとれる程度であり、図１の如く深く、押圧すると、視力の向上効果を著しく高める事が可能であり、この外に乱視、斜視、近視、そして、血流不良に起因する各種の目の障害に広範な効果を及ぼす事が可能となる。先端部は眼球と骨１、２の間に深く作用する為細い。
【００１７】
マッサージ器は、固化している各部の筋肉を、上述の如く揉みほぐして各部の運動を円滑化し、強化する。押圧する伝達子は丈夫な材料で構成する。眼球運動を円滑化するには、図８のこめかみ付近の筋肉１３を旋回する伝達子１に押圧して、又上下歯のかみ合せ力を強化するにはアゴ付近の筋肉１４を押圧する。
【００１８】
本発明に関し、図２の様なマッサージ器を使用する場合、伝達子１で頭髪をかきわけて頭皮をマッサージする。支持部を手で持って前後、左右に向きを変える事ができるので、効果大である。伝達子１は旋回している。図７に、頭皮のマッサージ器に関するものを示す。
【００１９】
本発明に関し、図９は、６週間で裸眼視力０．０５〜０．６に改善した実績を示す。施療に使用した器具は図４、５、６に示すものを併用して、首後部、こめかみ、上下歯を動かす筋肉、眼部等をマッサージしている。眼部だけマッサージしても効果を得る事ができる。施療回復後、眼鏡の度数を低くして、施療前の眼鏡装着視力と同程度の眼鏡装着視力を維持する。この間眼の筋肉の緊張が和らぎ水晶体のピント合わせ能力が向上しこの結果視力が向上する。この繰り返しを行ないながら、所定の視力まで上げる事が可能となる。
【００２０】
本発明に関し、図１２の如く、伝達子１が不意に眼球の奥深く入るのを防ぐ為、伝達子１に骨下端宛部１９と、眼球保護用の安全具２０とを付属したマッサージ器もある。
【図面の簡単な説明】
【００２１】
【図１】旋回する伝達子による患部（眼部）施療例
【図２】旋回する伝達子による手で持つ事が可能なマッサージ器例
【図３】伝達子の旋回運動の様子
【図４】首部及び首及び脚等施療するマッサージ器例（斜視図）
【図５】こめかみ、上下歯を動かす筋肉を施療するマッサージ器例（斜視図）
【図６】眼部を施療する伝達子を装着したマッサージ器例（斜視図）
【図７】頭皮のマッサージ器例（斜視図）
【図８】ツボの配置の様子
【図９】施療実績例
【図１０】回転体の反動力で治動する伝達子の関連（斜視図）
【図１１】携帯電話に伝達子を組合せた例（側面図）
【図１２】安全具付のマッサージ器による眼部施療例（側面図）
【符号の説明】
【００２２】
１  伝達子
２  ハンドルツマミ
３  旋回板
４  ベアリング
５  旋回発生部
６  ケース
７  床
８  安定錘
９  ケース
１０  握り部
１１  安全ガード
１２  首後部
１３  こめかみ
１４  上下歯を動かす筋肉
１５  錘
１６  回転体
１７  モーター
１８  携帯電話
１９  骨下端宛部
２０  安全具
【図１】
2007244911.tif 000003
【図２】
2007244911.tif 000004
【図３】
2007244911.tif 000005
【図４】
2007244911.tif 000006
【図５】
2007244911.tif 000007
【図６】
2007244911.tif 000008
【図７】
2007244911.tif 000009
【図８】
2007244911.tif 000010
【図９】
2007244911.tif 000011
【図１０】
2007244911.tif 000012
【図１１】
2007244911.tif 000013
【図１２】
2007244911.tif 000014